(57)【要約】【課題】信頼性を維持した状態で電力を容易に変更することができる電力伝送装置を提供する。【解決手段】、２次コイルＣ２が、１次コイルＣ１に供給される電力に応じた電力が誘導される。樹脂支持物２には、１次コイルＣ１及び２次コイルＣ２が互いに同軸上に配置された状態で螺旋状に巻回される。樹脂支持物２の１次コイルＣ１及び２次コイルＣ２の軸周りには螺旋状溝２３が設けられる。そして、１次コイルＣ１及び２次コイルＣ２の少なくとも一方が、螺旋状溝２３内に収容されるように巻回されている。【選択図】図１
2010098032.tif 000002
【特許請求の範囲】
【請求項１】
１次コイルと、前記１次コイルに供給される電力に応じた電力が誘導される２次コイルと、前記１次コイル及び前記２次コイルが互いに同軸上に配置された状態で螺旋状に巻回される支持物と、が備えられた電力伝送装置において、
前記支持物の前記１次コイル及び前記２次コイルの軸周りに螺旋状溝が設けられ、
前記１次コイル及び前記２次コイルの少なくとも一方が、前記螺旋状溝内に収容されるように巻回されている
ことを特徴とする電力伝送装置。
【請求項２】
前記支持物が、リング状に設けられ、
前記１次コイル及び前記２次コイルが、前記支持物にトロイダル状に巻回されている
ことを特徴とする請求項１に記載の電力伝送装置。
【発明の詳細な説明】
【技術分野】
【０００１】
本発明は、電力伝送装置に係り、特に、１次コイルと、前記１次コイルに供給される電力に応じた電力が誘導される２次コイルと、前記１次コイル及び前記２次コイルが互いに同軸上に配置されるように螺旋状に巻回される支持物と、が備えられた電力伝送装置に関するものである。
【背景技術】
【０００２】
従来、上述した電力伝送装置は、フェライト、鉄心又は空心などの支持物に対して上記１次コイル及び２次コイルを必要ターン数巻き付けて構成されている。上記１次コイルに電力を供給すると、１次コイルと２次コイルとのターン数比に応じた電力が２次コイルに誘導され、１次コイルから２次コイルに対して電力が伝送される。
【０００３】
ところで、従来では、２次コイル側に伝送する電力を変更するときは、１次コイル又は２次コイルのターン数を変更して対応していた。しかしながら、１次、２次コイルの作成後に１次、２次コイルのターン数は容易に変更することができない。このため、電力伝送装置を回路上に組み付け後に２次コイル側に伝送する電力を変更したいときは、電力伝送装置を作成し直さなくてはならず、容易に電力変更することができない、という問題があった。また、上述した変更に際しては回路上に組み付けた電力伝送装置を取り除いて１次、２次コイルのターン数を変更した電力伝送装置を回路に組み付け直す必要があるため装置の信頼性も低下する結果になっていた。
【０００４】
また、１次コイルに供給する電力を変更して２次コイル側に伝送する電力を変更するものも提案されている（特許文献１〜３）。しかしながら、この場合は１次コイルに供給する電力が変えられない場合は適用することができない、という問題があった。
【特許文献１】特開平１１−３２９８４９号公報
【特許文献２】特開２００１−６９４２号公報
【特許文献３】特開２０００−１４０５３号公報
【発明の開示】
【発明が解決しようとする課題】
【０００５】
そこで、本発明は、信頼性を維持した状態で電力を容易に変更することができる電力伝送装置を提供することを課題とする。
【課題を解決するための手段】
【０００６】
上記課題を解決するためになされた請求項１記載の発明は、１次コイルと、前記１次コイルに供給される電力に応じた電力が誘導される２次コイルと、前記１次コイル及び前記２次コイルが互いに同軸上に配置された状態で螺旋状に巻回される支持物と、が備えられた電力伝送装置において、前記支持物の前記１次コイル及び前記２次コイルの軸周りに螺旋状溝が設けられ、前記１次コイル及び前記２次コイルの少なくとも一方が、前記螺旋状溝内に収容されるように巻回されていることを特徴とする電力伝送装置に存する。
【０００７】
請求項２記載の発明は、前記支持物が、リング状に設けられ、前記１次コイル及び前記２次コイルが、前記支持物にトロイダル状に巻回されていることを特徴とする請求項１に記載の電力伝送装置に存する。
【発明の効果】
【０００８】
以上説明したように請求項１及び２記載の発明によれば、１次、２次コイルを回転させると、螺旋状溝に沿って支持物上の１次、２次コイルが軸方向に沿って移動する。よって、１次コイル、２次コイルを支持物に巻回したまま１次コイルと２次コイルとの軸方向の相対位置を調整して、１次コイルと２次コイルとの結合度を調整することができる。このため、電力伝送装置を回路に組み付けたまま簡単に電力を変更することができ、信頼性を維持した状態で電力を容易に変更することができる。
【発明を実施するための最良の形態】
【０００９】
以下、本発明の実施の形態を図面に基づいて説明する。図１に示すように、電力伝送装置１は、１次コイルＣ１と、２次コイルＣ２と、支持物としての樹脂支持物２と、を備えている。１次コイルＣ１は、螺旋状に巻かれた導線から構成されている。１次コイルＣ１の両端は、図示しない高周波電力源に接続されていて、１次コイルＣ１には高周波電力が供給される。２次コイルＣ２は、螺旋状に巻かれた導線から構成されている。２次コイルＣ２は、１次コイルＣ１に供給される電力に応じた電力が誘導される。
【００１０】
樹脂支持物２は、上記１次コイルＣ１及び２次コイルＣ２が螺旋状に巻回されて固定される。樹脂支持物２には、１次コイルＣ１及び２次コイルＣ２が軸Ｚ方向に互いに離間して巻回されている。樹脂支持物２は、中央に貫通穴２１が設けられたリング状に形成されている。よって、樹脂支持物２には、１次コイルＣ１及び２次コイルＣ２が貫通穴２１を中心として円状の軸Ｚに沿って螺旋状に巻回されている。即ち、樹脂支持物２には、１次コイルＣ１及び２次コイルＣ２がトロイダル状に巻回されている。
【００１１】
また、樹脂支持物２には、貫通穴２１と同じ貫通方向に端子穴２２が設けられている。１次コイルＣ１及び２次コイルＣ２の両端は、貫通方向の一方側から端子穴２２に挿入されて他方側に引き出されている。
【００１２】
上記樹脂支持物２には、図２に示すように、１次コイルＣ１及び２次コイルＣ２の軸Ｚ周りに螺旋状溝２３が設けられている。１次コイルＣ１及び２次コイルＣ２は、この螺旋状溝２３内に収容されるように巻回されている。２次コイルＣ２が収容される螺旋状溝２３の軸Ｚ方向の長さＬ１は、２次コイルＣ２の軸Ｚ方向の長さＬ２よりも長くなるように形成されている。
【００１３】
以上の構成によれば、２次コイルＣ２を軸Ｚ周りに回転させると、螺旋状溝２３に沿って支持物２上の２次コイルＣ２が軸Ｚ方向に沿って移動する。次に、２次コイルＣ２側に伝送する電力を変更したい場合の手順について説明する。まず、樹脂支持物２の端子穴２２から２次コイルＣ２の両端を抜く。その後、２次コイルＣ２を軸Ｚ周りに回転させて、１次コイルＣ１と２次コイルＣ２との軸Ｚ方向の相対位置を調整する。これにより、１次コイルＣ１と２次コイルＣ２との結合度を調整して、電力を変更する。次に、再び２次コイルＣ２の両端を端子穴２２に挿入する。
【００１４】
上述した電力伝送装置１によれば、２次コイルＣ１を樹脂支持物２に巻回したまま１次コイルＣ１と２次コイルＣ２との軸Ｚ方向の相対位置を調整して、１次コイルＣ１と２次コイルＣ２との結合度を調整することができる。このため、電力伝送装置１を回路に組み付けたまま簡単に電力を変更することができ、信頼性を維持した状態で電力を容易に変更することができる。
【００１５】
なお、上述した実施形態によれば、２次コイルＣ２のみを移動させていたが、本発明はこれに限ったものではない。１次コイルＣ１のみを移動させてもよいし、１次コイルＣ１及び２次コイルＣ２の両方を移動させるようにしてもよい。
【００１６】
また、上述した実施形態によれば、１次コイルＣ１及び２次コイルＣ２の両方が螺旋状溝２３内に収容されていたが、本発明はこれに限ったものではない。１次コイルＣ１及び２次コイルＣ２の少なくとも一方が螺旋状溝２３内に収容されていればよい。
【００１７】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００１８】
【図１】（Ａ）及び（Ｂ）は、本発明の電力伝送装置の一実施形態を示す正面図及び側面図である。
【図２】（Ａ）及び（Ｂ）は、図１の電力伝送装置を構成する樹脂支持物の正面図及び側面図である。
【符号の説明】
【００１９】
１    電力伝送装置
２    樹脂支持物（支持物）
２３  螺旋状溝
Ｃ１  １次コイル
Ｃ２  ２次コイル
【図１】
2010098032.tif 000003
【図２】
2010098032.tif 000004